(57)【要約】  本発明は、デジタル方法を受信する際、初期同期を行うのに要する時間を短縮化することが可能な受信装置を提供することを目的とする。  ＯＦＤＭ変調されたデジタル放送を受信し、デジタル放送に含まれている少なくとも２つのチャンネルの変調信号Ｓch1，Ｓch2を出力するフロントエンド部３と、一方の変調信号Ｓch1をＡ／Ｄ変換部４ａを介して入力し、初期同期を取ってデコードするチャンネルデコーダ部５ａと、他方の変調信号Ｓch2をＡ／Ｄ変換部４ｂを介して入力し、初期同期を取ってデコードするチャンネルデコーダ部５ｂを有して構成する。チャンネルデコーダ部５ａ，５ｂは、初期同期を取ると同期信号ＬＫ１，ＬＫ2を互いに出力して共有し、一方のチャンネルデコーダ部が新規に初期同期を取る場合に、既に初期同期が取れている他方のチャンネルデコーダ部から出力される同期信号に基づいて初期同期を取ることにより、初期同期に要する時間を短縮化する。【特許請求の範囲】
【請求項１】
デジタル放送を受信し、前記デジタル放送に含まれている少なくとも２つのチャンネルの変調信号を出力する受信手段と、
前記受信手段より出力される前記変調信号のうちの一つの変調信号について初期同期を取ってデコードする第１のチャンネルデコーダ手段と、
前記変調信号のうちの他の変調信号について初期同期を取ってデコードする第２のチャンネルデコーダ手段とを有し、
前記第１，第２のチャンネルデコーダ手段は、互いに前記初期同期を取った同期検出結果を共有することを特徴とする受信装置。
【請求項２】
デジタル放送を受信し、前記デジタル放送に含まれている少なくとも２つのチャンネルの変調信号を出力する受信工程と、
前記変調信号のうちの一つの変調信号について初期同期を取ってデコードする第１のチャンネルデコーダ工程と、
前記変調信号のうちの他の変調信号について初期同期を取ってデコードする第２のチャンネルデコーダ工程とを有し、
前記第１，第２のチャンネルデコーダ工程において、互いに前記初期同期を取った同期検出結果を共有することを特徴とする受信方法。
【請求項３】
デジタル放送を受信し、前記デジタル放送に含まれている少なくとも２つのチャンネルの変調信号を出力する受信手段を有し、前記変調信号をコンピュータ処理する受信装置のプログラムであって、
前記受信手段より出力される前記変調信号のうちの一つの変調信号について初期同期を取ってデコードする第１のチャンネルデコーダステップと、
前記変調信号のうちの他の変調信号について初期同期を取ってデコードする第２のチャンネルデコーダステップとを有し、
前記第１，第２のチャンネルデコーダステップは、互いに前記初期同期を取った同期検出結果を共有することを特徴とするプロブラム。
【請求項４】
前記請求項４に記載されたプログラムが記録されていることを特徴とする情報記録再生媒体。
【発明の詳細な説明】
【技術分野】
【０００１】
本発明は、例えばデジタルラジオ放送、デジタルテレビ放送等を受信する受信装置、受信方法、受信用プログラム、及びその記録媒体に関する。
【背景技術】
【０００２】
従来のアナログラジオ放送やアナログテレビ放送に代わる新たな放送メディアとして、衛星波と地上波を利用したデジタルラジオ放送やデジタルテレビ放送が開始されている。【０００３】
これらデジタル放送では、ＯＦＤＭ（Orthogonal Frequency  Division Multiplexing）変調方式が採用され、伝送帯域幅に割り当てた複数チャンネルの各狭帯域に、複数のサービス情報を周波数多重化して伝送することで、所謂マルチチャンネル・マルチメディア型のデジタル放送が行われている。【０００４】
デジタル放送を受信する受信装置側では、到来電波を同調受信及び選択受信することによって各チャンネルの変調信号を生成し、同期検出及び復調等を行って情報分離することにより、チャンネル毎にサービス情報を再生する。【０００５】
例えば、ヨーロッパ地域で実用化されているＤＡＢ（Digital Audio Broadcasting）システムによるデジタルラジオ放送を受信する特開２００２−９４４０１号公報に開示された放送信号受信処理装置では、到来電波を同調受信及び選択受信することによってアンサンブルと称される各チャンネルの変調信号を生成し、同期検出及び復調等を行って情報分離することにより、放送局から送られてくる天気予報、交通情報等のサービス情報を各チャンネル毎に再生している。【０００６】
更に、この放送信号受信処理装置では、自動車等の移動体と共に移動中に、受信中のアンサンブルを受信できなくなった場合に、その受信中のアンサンブルに含まれていたサービス情報に相当するサービス情報を有している他のチャンネルのアンサンブルを探索すべく自動的にシーク動作を行い、探索した他のアンサンブルを選択受信するように切り替えることで、同じ内容のサービス情報を切れ目無く再生することを可能にしている。【０００７】
【特許文献１】特開２００２−９４４０１号公報
【発明の開示】
【発明が解決しようとする課題】
【０００８】
ところで、特開２００２−９４４０１号公報に開示された放送信号受信処理装置では、受信中のアンサンブルが受信不能となってシーク動作を行う際、他の夫々のチャンネルのアンサンブルを選択受信する度に、その選択受信したアンサンブルに含まれている制御用情報データに基づいて初期同期を取り、初期同期が取れた状態で、同じ内容のサービス情報を有するアンサンブルか否か判断するという処理を繰り返すため、選択受信によってチャンネル切り替えを行う度に、初期同期を取らなければならないことから、同じ内容のサービス情報を有する他のチャンネルのアンサンブルを見つけ出すまで長時間を要するという問題がある。【０００９】
本発明はこのような従来の問題点に鑑みてなされたものであり、例えば受信中のチャンネルが受信不能となって新たに初期同期を行う必要が生じた場合等において、初期同期を行うのに要する時間を短縮化することが可能な受信装置を提供することを目的とする。
【課題を解決するための手段】
【００１０】
請求項１に記載の発明に係る受信装置は、デジタル放送を受信し、前記デジタル放送に含まれている少なくとも２つのチャンネルの変調信号を出力する受信手段と、前記受信手段より出力される前記変調信号のうちの一つの変調信号について初期同期を取ってデコードする第１のチャンネルデコーダ手段と、前記変調信号のうちの他の変調信号について初期同期を取ってデコードする第２のチャンネルデコーダ手段とを有し、前記第１，第２のチャンネルデコーダ手段は、互いに前記初期同期を取った同期結果を共有することを特徴とする。【００１１】
請求項２に記載の発明に係る受信方法は、デジタル放送を受信し、前記デジタル放送に含まれている少なくとも２つのチャンネルの変調信号を出力する受信工程と、前記変調信号のうちの一つの変調信号について初期同期を取ってデコードする第１のチャンネルデコーダ工程と、前記変調信号のうちの他の変調信号について初期同期を取ってデコードする第２のチャンネルデコーダ工程とを有し、前記第１，第２のチャンネルデコーダ工程において、互いに前記初期同期を取った同期結果を共有することを特徴とする。【００１２】
請求項３に記載の発明は、デジタル放送を受信し、前記デジタル放送に含まれている少なくとも２つのチャンネルの変調信号を出力する受信手段を有し、前記変調信号をコンピュータ処理する受信装置のプログラムであって、前記受信手段より出力される前記変調信号のうちの一つの変調信号について初期同期を取ってデコードする第１のチャンネルデコーダステップと、前記変調信号のうちの他の変調信号について初期同期を取ってデコードする第２のチャンネルデコーダステップとを有し、前記第１，第２のチャンネルデコーダステップは、互いに前記初期同期を取った同期検出結果を共有することを特徴とする。【００１３】
請求項４に記載の発明は、情報記録再生媒体であって、前記請求項４に記載されたプログラムが記録されていることを特徴とする。
【図面の簡単な説明】
【００１４】
【図１】本発明の実施形態に係るデジタル放送受信装置の構成を表したブロック図である。
【図２】より具体的な実施例に係るデジタル放送受信装置の構成を表したブロック図である。
【図３】図２に示したデジタル放送受信装置の動作を説明するためのフローチャートである。
【発明を実施するための最良の形態】
【００１５】
本発明の実施の形態に係る受信装置について図１を参照して説明する。図１（ａ）は、本実施形態の受信装置の構成を表したブロック図、同図（ｂ）は、ＯＦＤＭ変調方式によって変調された放送信号の構成を模式的に表した図である。【００１６】
図１（ａ）において、この受信装置（以下「デジタル放送受信装置」という）１は、放送電波を受信する受信アンテナ２が接続された受信手段としてのフロントエンド部３と、Ａ／Ｄ変換部４ａ，４ｂ、チャンネルデコーダ部５ａ，５ｂ、ソースデコーダ部６、制御部７を有して構成されている。【００１７】
フロントエンド部３は、受信アンテナ２に生じる受信信号Ｓinを同調受信することによって、中間周波数に周波数変換した多チャンネルの変調信号を生成し、更に多チャンネルの変調信号を選択受信することにより、中間周波数から成る各チャンネルの変調信号を出力する。【００１８】
ここで、フロントエンド部３は、制御部７から供給される受信制御信号ＣＨによって指定される局部発振周波数に基づいて同調受信を行い、更に受信制御信号ＣＨによって指定されるチャンネルの変調信号を選択受信して出力する。そして、例えば、選択受信すべきチャンネルとして互いに異なったチャンネルｃｈ1とｃｈ2が指定された場合、同図（ａ）に例示するように、チャンネルｃｈ1の変調信号Ｓch1と、チャンネルｃｈ2の変調信号Ｓch2を選択し、また、他のチャンネルが指定された場合には、その指定されたチャンネルの変調信号を選択して出力するようになっている。【００１９】
なお、説明の便宜上、チャンネルｃｈ1とｃｈ2が指定されたものとして以下説明することとする。【００２０】
Ａ／Ｄ変換部４ａ，４ｂは、フロントエンド部３から出力される互いに異なるチャンネルの変調信号Ｓch1，Ｓch2をデジタルデータ列から成る変調信号Ｄch1，Ｄch2にＡ／Ｄ変換し、チャンネルデコーダ部５ａ，５ｂに供給する。【００２１】
チャンネルデコーダ部５ａ，５ｂは、変調信号Ｄch1，Ｄch2に含まれている同期用シンボルと初期同期（いわゆるフレーム同期）を取った後、該同期用シンボルに続くサービス識別用シンボルと情報伝送用シンボルを復調等することにより、復調後の復調信号Ｄw1，Ｄw2を生成して出力する。【００２２】
すなわち、図１（ｂ）に模式的に示すように、放送局から送られてくる複数の各チャンネルｃｈ1〜ｃｈnの変調信号Ｓch1〜Ｓchnは、何れも１伝送フレームが同期用シンボルとそれに続くサービス識別用シンボルと情報伝送用シンボルを有して構成され、更に、各変調信号Ｓch1〜Ｓchnの同期用シンボルを同期させて放送局から送信される。【００２３】
そこで、チャンネルデコーダ部５ａは、変調信号Ｄch1に含まれている同期用シンボルと初期同期を取った後、サービス識別用シンボルと情報伝送用シンボルを復調等することによって復調信号Ｄw1を出力し、チャンネルデコーダ部５ｂは、変調信号Ｄch2に含まれている同期用シンボルと初期同期を取った後、サービス識別用シンボルと情報伝送用シンボルを復調等することによって復調信号Ｄw2を出力する。【００２４】
更に、チャンネルデコーダ部５ａは、初期同期を取ると、その同期検出結果としての同期信号ＬＫaを発生してチャンネルデコーダ部５ｂに供給し、チャンネルデコーダ部５ｂも同様に、初期同期を取ると同期信号ＬＫbを発生してチャンネルデコーダ部５ａに供給する。そして、チャンネルデコーダ部５ａ，５ｂの何れか一方が、Ａ／Ｄ変換部４ａ，４ｂから供給される復調信号に基づいて初期同期を取ることができない事態を生じた場合には、他方のチャンネルデコーダ部から供給される同期信号に基づいて自ら初期同期を取ったこととし、サービス識別用シンボルと情報伝送用シンボルを復調等するためのデコード処理を迅速に開始する。【００２５】
例えば、マルチパスフェージング等の影響でチャンネルｃｈ1の復調信号Ｄw1についての受信品質が劣化し、チャンネルデコーダ部５ａが新たに復調信号Ｄw1に対して初期同期を取る必要が生じた場合に、チャンネルデコーダ部５ｂが既に復調信号Ｄw2に対する初期同期が取れていれば、チャンネルデコーダ部５ａは、チャンネルデコーダ部５ｂから供給される同期信号ＬＫｂを入力することにより、復調信号Ｄw1に対して初期同期を取ったものとして、初期同期を完了する。また、逆に、マルチパスフェージング等の影響でチャンネルｃｈ2の復調信号Ｄw2についての受信品質が劣化し、チャンネルデコーダ部５ｂが新たに復調信号Ｄw2に対して初期同期を取る必要が生じた場合に、チャンネルデコーダ部５ａが既に復調信号Ｄw1に対する初期同期が取れていれば、チャンネルデコーダ部５ｂは、チャンネルデコーダ部５ａから供給される同期信号ＬＫａを入力することにより、復調信号Ｄw2に対して初期同期を取ったものとして、初期同期を完了する。【００２６】
このように、チャンネルデコーダ部５ａ，５ｂは、互いに同期信号ＬＫａ，ＬＫｂを共有して初期同期を取ることにより、両者とも初期同期を迅速に完了するようになっている。【００２７】
ソースデコーダ６は、符号化圧縮処理されている復調信号Ｄw1，Ｄw2を復号化処理し、所謂データ伸張した音声信号や画像信号、各種データ等に戻して出力する。【００２８】
制御部７は、所定のシステムプログラムを実行するマイクロプロセッサ（ＭＰＵ）等で形成されており、ユーザから所望の放送局とチャンネルが指定されると、受信制御信号ＣＨをフロントエンド部３に供給する他、各種制御信号ＣＮＴa，ＣＮＴb，ＣＮＴsによってチャンネルデコーダ部５ａ，５ｂとソースデコーダ６の動作を制御する。【００２９】
以上説明したように、本実施形態のデジタル放送受信装置１によれば、チャンネルデコーダ部５ａ，５ｂが、同期信号ＬＫa，ＬＫｂを互いに共有するようになっているため、一方のチャンネルデコーダ部が初期同期を取れない事態が生じた場合や、新たに初期同期を取る必要が生じた場合でも、他方のチャンネルデコーダ部から供給される初期同期信号に基づいて初期同期を取ることができ、初期同期に要する時間を短縮化することが可能である。【００３０】
なお、本実施形態では、チューナ部３から２チャンネル分の変調信号を出力し、２つのチャンネルデコーダ部５ａ，５ｂによって復調等のデコード処理を行うこととしているが、かかる構成に限定されるものではない。例えば、チューナ部３から３チャンネル以上の変調信号を出力し、３個以上のチャンネルデコーダ部によって復調等のデコード処理を行い、更に夫々のチャンネルデコーダ部が夫々初期同期を取ると同期信号を発生して、夫々の同期信号を共有して利用するようにしてもよい。【００３１】
また、複数のチャンネルデコーダ部５ａ，５ｂ等とソースデコーダ６とを、制御部７と同様にマイクロプロセッサ（ＭＰＵ）で形成したり、デジタルシグナルシグナルプロセッサ（ＤＳＰ）等の演算処理機能を有する集積回路装置等で形成し、所定のシステムプログラム（コンピュータプログラム）を実行させることにより、上述したチャンネルデコーダ部５ａ，５ｂ等とソースデコーダ６の機能を発揮させるようにしてもよい。【００３２】
本実施形態の受信装置１に、ＣＤ（Compact Dics）やＤＶＤ（Digital Versatile Disc）或いは半導体メモリ等のストレージ媒体（情報記録再生媒体）に記録されている記録情報を読み取り再生する情報再生装置を設けておき、上述のチャンネルデコーダ部５ａ，５ｂ等とソースデコーダ６及び制御部７との機能を有するコンピュータプログラムが記録された情報記録再生媒体を情報再生装置で再生して、上述のマイクロプロセッサやデジタルシグナルシグナルプロセッサ（ＤＳＰ）等にインストールして実行させるようにしてもよい。
【実施例】
【００３３】
次に、より具体的な実施例について図２及び図３を参照して説明する。図２は、本実施例の受信装置の構成を表したブロック図であり、図１（ａ）と同一又は相当する部分を同一符号で示している。図３は、本実施例の受信装置の動作を説明するためのフローチャートである。【００３４】
図２において、この受信装置（デジタル放送受信装置）１は、図１（ａ）に示したデジタル放送受信装置と同様に、到来するデジタルラジオ放送の放送電波を受信する受信アンテナ２が接続されたフロントエンド部３と、Ａ／Ｄ変換部４ａ，４ｂ、チャンネルデコーダ部５ａ，５ｂ、ソースデコーダ部６、制御部７を有し、更に、ソースデコーダ部６の出力に接続されたＤ／Ａ変換器８と駆動部９及びスピーカを有して構成されている。【００３５】
フロントエンド部３は、受信アンテナ２に生じる受信信号Ｓinに対して、制御部７から供給される受信制御信号ＣＨによって指定される局部発振周波数に基づいて同調受信を行い、更に、受信制御信号ＣＨによって指定されるチャンネルの変調信号を選択受信して出力する。例えば、選択受信すべきチャンネルとして互いに異なったチャンネルｃｈ1とｃｈ2が指定された場合、チャンネルｃｈ1の変調信号Ｓch1と、チャンネルｃｈ2の変調信号Ｓch2を選択して出力し、Ａ／Ｄ変換部４ａ，４ｂが、変調信号Ｓch1，Ｓch2をデジタルデータ列から成る変調信号Ｄch1，Ｄch2にＡ／Ｄ変換して、チャンネルデコーダ部５ａ，５ｂに供給する。【００３６】
チャンネルデコーダ部５ａ，５ｂは、変調信号Ｄch1，Ｄch2に含まれている同期用シンボルと初期同期（いわゆるフレーム同期）を取った後、該同期用シンボルに続くサービス識別用シンボルと情報伝送用シンボルを復調等することにより、復調後の復調信号Ｄw1，Ｄw2を生成して出力する。【００３７】
すなわち、図１（ｂ）に示したのと同様に、ラジオ放送局から送られてくる複数の各チャンネルｃｈ1〜ｃｈnの変調信号Ｓch1〜Ｓchnは、何れも１伝送フレームが同期用シンボルとそれに続くサービス識別用シンボルと情報伝送用シンボルを有して構成され、更に、各変調信号Ｓch1〜Ｓchnの同期用シンボルを同期させて放送局から送信される。【００３８】
そこで、チャンネルデコーダ部５ａは、変調信号Ｄch1に含まれている同期用シンボルと初期同期を取った後、サービス識別用シンボルと情報伝送用シンボルを復調等することによって復調信号Ｄw1を出力し、チャンネルデコーダ部５ｂは、変調信号Ｄch2に含まれている同期用シンボルと初期同期を取った後、サービス識別用シンボルと情報伝送用シンボルを復調等することによって復調信号Ｄw2を出力する。【００３９】
更に、チャンネルデコーダ部５ａは、初期同期を取ると同期信号ＬＫaを発生してチャンネルデコーダ部５ｂに供給し、チャンネルデコーダ部５ｂも同様に、初期同期を取ると同期信号ＬＫbを発生してチャンネルデコーダ部５ａに供給する。そして、チャンネルデコーダ部５ａ，５ｂの何れか一方が、Ａ／Ｄ変換部４ａ，４ｂから供給される復調信号に基づいて初期同期を取ることができない事態を生じた場合には、他方のチャンネルデコーダ部から供給される同期信号に基づいて自ら初期同期を取ったこととし、サービス識別用シンボルと情報伝送用シンボルを復調等するためのデコード処理を迅速に開始する。【００４０】
このように、チャンネルデコーダ部５ａ，５ｂは、互いに同期信号ＬＫａ，ＬＫａを共有して初期同期を取ることにより、両者とも初期同期を迅速に完了するようになっている。【００４１】
ソースデコーダ６は、符号化圧縮処理されている復調信号Ｄw1，Ｄw2を復号化処理し、所謂データ伸張した音声信号Ｄauに戻して出力する。そして、音声信号ＤauをＤ／Ａ変換器８がアナログの音声信号Ｓauに変換し、駆動部９が電力増幅してスピーカ１０に供給することで、放送局から送られてきた例えば音楽等を再生して出力させる。【００４２】
制御部７は、所定のシステムプログラムを実行するマイクロプロセッサ（ＭＰＵ）等で形成されており、ユーザから所望の放送局とチャンネルが指定されると、受信制御信号ＣＨをフロントエンド部３に供給する他、各種制御信号ＣＮＴa，ＣＮＴb，ＣＮＴsによってチャンネルデコーダ部５ａ，５ｂとソースデコーダ６の動作を制御する。【００４３】
次に、かかる構成を有するデジタル放送受信装置１の動作について図２及び図３を参照して説明する。【００４４】
まず、図２に基づいて基本的な動作を説明すると、ユーザが操作部（図示略）を操作して所望の放送局と、その放送局における所望のチャンネルを指定すると、制御部７が、指定された放送局とチャンネルとを示す受信制御信号ＣＨをフロントエンド部３に供給し、同調受信と選択受信を行わせる。【００４５】
こうして、フロントエンド部３が同調受信と選択受信を行い、例えば指定されたチャンネルがチャンネルｃｈ1であった場合、チャンネルｃｈ1の変調信号Ｓch1をＡ／Ｄ変換器４ａへ出力し、指定されたチャンネルｃｈ1とは異なる他のチャンネル（例えば、チャンネルｃｈ2）の変調信号Ｓch2をＡ／Ｄ変換器４ｂへ出力する。【００４６】
そして、Ａ／Ｄ変換器４ａ，５ａが変調信号Ｓch1，Ｓch2を夫々デジタルデータ列からなる変調信号Ｄch1，Ｄch2にＡ／Ｄ変換して、チャンネルデコータ部５ａ，５ｂに供給する。【００４７】
更に、チャンネルデコータ部５ａ，５ｂが、夫々の変調信号Ｄch1，Ｄch2を復調等することによって復調信号Ｓw1，Ｓw2を生成してソースデコーダ部６に供給し、ソースデコーダ部６が、復調信号Ｓw1，Ｓw2を復号等することによって、各チャンネルｃｈ1，ｃｈ2によって送られてきた音楽等の音声信号を再生すると共に、指定されたチャンネルｃｈ1についての音声信号Ｄauを出力し、その音声信号ＤauをＤ／Ａ変換器８がアナログの音声信号Ｓauに変換して、駆動部９が電力増幅してスピーカ１０に供給することにより、音楽等を再生させる。【００４８】
ここで、マルチパスフェージング等の影響でチャンネルｃｈ1の復調信号Ｄw1についての受信品質が劣化し、チャンネルデコーダ部５ａが新たに復調信号Ｄw1に対して初期同期を取る必要が生じた場合、図３に示すフローチャートに従って、初期同期を取るための処理を行う。【００４９】
すなわち、チャンネルデコーダ部５ａが新たに復調信号Ｄw1に対して初期同期を取るための処理を開始すると、まず、ステップＳＴ１において、以前に設定されている初期同期のタイミング情報等を初期化した後、ステップＳＴ２において、チャンネルｃｈ1の復調信号Ｄw1について初期同期を取るための処理を行う。【００５０】
ここで、復調信号Ｄw1に含まれている同期用シンボルとの相関演算を行い、相関値が所定の閾値より大きければ、初期同期が取れたと判断してステップＳＴ３に移行する。そして、ステップＳＴ３において、同期信号ＬＫaを発生してチャンネルデコーダ部５ａに供給した後、ステップＳＴ４に移行して、変調信号Ｄch1に対して復調処理等の処理を施すことによって復調信号Ｓw1を生成し、更に、復調信号Ｓw1を復号等することによって、チャンネルｃｈ1によって送られてきた音楽等の音声信号Ｄauに戻して出力する。【００５１】
上述のステップＳＴ２において、復調信号Ｄw1に含まれている同期用シンボルとの相関演算を行った結果、相関値が所定の閾値より小さければ、ステップＳＴ５へ移行する。そして、ステップＳＴ５において、チャンネルデコーダ部５ｂから既に同期信号ＬＫbが出力されているか判断し、同期信号ＬＫbが既に出力されている場合には、同期信号ＬＫbを入力することによって初期同期の処理を完了して、ステップＳＴ４へ移行する。そして、ステップＳＴ４において、変調信号Ｄch1に対して復調処理等の処理を施すことによって復調信号Ｓw1を生成し、更に、復調信号Ｓw1を復号等することによって、チャンネルｃｈ1によって送られてきた音楽等の音声信号Ｄauに戻して出力する。【００５２】
一方、ステップＳＴ５において、チャンネルデコーダ部５ｂから同期信号ＬＫbが出力されていない場合には、ステップＳＴ２に戻って処理を繰り返す。そして、チャンネルデコーダ部５ａが自ら初期同期を取れた場合には、ステップＳＴ２，ＳＴ３において初期同期を完了して、ステップＳＴ４の処理を開始し、また、チャンネルデコーダ部５ｂが初期同期を取れた場合には、チャンネルデコーダ部５ａは、ステップＳＴ２，ＳＴ５において初期同期を完了して、ステップＳＴ４の処理を開始する。【００５３】
以上に説明したように、本実施例のデジタル放送受信装置１によれば、チャンネルデコーダ部５ａ，５ｂが、同期信号ＬＫa，ＬＫｂを互いに共有するようになっているため、一方のチャンネルデコーダ部が初期同期を取れない事態が生じた場合や、新たに初期同期を取る必要が生じた場合でも、他方のチャンネルデコーダ部から供給される初期同期信号に基づいて初期同期を取ることができ、初期同期に要する時間を短縮化することが可能である。【００５４】
また、本実施例のデジタル放送受信装置１を自動車等の移動体に搭載すると、例えばマルチパスフェージング等の影響によって新規に初期同期をとる必要が生じた場合に、迅速に初期同期を取ることができるため、いわゆるモバイル用のデジタル放送受信装置としての利用に好適である。【００５５】
なお、本実施例の受信装置１では、チャンネルデコーダ部５ａ，５ｂ及びソースデコーダ６がいわゆるハードウエアで形成されているが、これらチャンネルデコーダ部５ａ，５ｂ及びソースデコーダ６をマイクロプロセッサ（ＭＰＵ）やデジタルシグナルシグナルプロセッサ（ＤＳＰ）等の演算処理機能を有する集積回路装置等で形成し、所定のシステムプログラム（コンピュータプログラム）を実行させることにより、上述したチャンネルデコーダ部５ａ，５ｂ等とソースデコーダ６の機能を発揮させるようにしてもよい。【００５６】
また、本実施例の受信装置１に、ＣＤやＤＶＤ或いは半導体メモリ等のストレージ媒体（情報記録再生媒体）に記録されている記録情報を読み取り再生する情報再生装置を設けておき、上述のチャンネルデコーダ部５ａ，５ｂ等とソースデコーダ６及び制御部７との機能を有するコンピュータプログラムが記録された情報記録再生媒体を情報再生装置で再生して、上述のマイクロプロセッサやデジタルシグナルシグナルプロセッサ（ＤＳＰ）等にインストールして実行させるようにしてもよい。
【図１】
2005117275.tif 000002
【図２】
2005117275.tif 000003
【図３】
2005117275.tif 000004
【国際調査報告】
2005117275.tif 000005
2005117275.tif 000006